(57)【特許請求の範囲】
【請求項１】
同じサイズの複数枚の原稿がセットされた自動原稿送り装置により、前記複数枚の原稿が原稿読取装置へ搬送され、前記原稿読取装置により読み取られた前記複数枚の原稿の画像データを受信する画像データ受信部と、
前記画像データ受信部により受信された前記複数枚の原稿の画像データを記憶する画像データ記憶部と、
前記複数枚の原稿が前記原稿読取装置へ搬送中に検知された、それぞれの原稿のサイズを示すサイズデータを受信するサイズデータ受信部と、
前記サイズデータ受信部により受信された前記複数枚の原稿のそれぞれのサイズデータを記憶するサイズデータ記憶部と、
前記サイズデータ受信部により受信された前記複数枚の原稿のサイズデータの中から比較に用いる原稿のサイズデータが予め設定されており、前記原稿読取装置へ搬送中に検知された前記複数枚の原稿のそれぞれのサイズについて、前記比較に用いる原稿とサイズが同じかの判定を、前記複数枚の原稿の画像データが前記画像データ記憶部に記憶され、かつ、前記複数枚の原稿のそれぞれのサイズデータが前記サイズデータ記憶部に記憶された後に、実行するサイズ判定部と、
前記サイズ判定部により前記比較に用いる原稿とサイズが同じと判定されない場合、報知する報知部と、を備える画像データ記憶装置。
【請求項２】
前記サイズ判定部では、前記原稿読取装置により読み取られた前記複数枚の原稿のそれぞれについて、原稿が読み取られた順番より一つ前の順番と一つ後の順番で読み取られた原稿のサイズデータを、前記比較に用いる原稿のサイズデータとして設定されている請求項１に記載の画像データ記憶装置。
【請求項３】
前記報知部は、
表示部と、
前記サイズ判定部により前記比較に用いる原稿とサイズが同じと判定されない原稿の画像データを、前記画像データ記憶部から読み出す読出制御部と、
前記読出制御部により読み出された画像データを用いてプレビュー画像を生成する画像生成部と、
前記画像生成部により生成された前記プレビュー画像を、前記表示部に表示させる表示制御部と、を備える請求項１又は２に記載の画像データ記憶装置。
【請求項４】
前記サイズ判定部により前記比較に用いる原稿とサイズが同じと判定されない原稿の前記プレビュー画像が、前記表示部に表示された場合、当該原稿の画像データを、前記画像データ記憶部から消去する指示を受け付ける受付部と、
前記受付部で消去する指示が受け付けられると、当該原稿の画像データを前記画像データ記憶部から消去する消去制御部と、を備える請求項３に記載の画像データ記憶装置。
【請求項５】
自動原稿送り装置と、
同じサイズの複数枚の原稿がセットされた前記自動原稿送り装置により搬送されてきた前記複数枚の原稿を読み取り、前記複数枚の原稿の画像データを生成する原稿読取部と、
前記複数枚の原稿のそれぞれが前記原稿読取部へ搬送中に、各原稿のサイズを検知し、検知したサイズを示すサイズデータを生成するサイズ検知部と、
前記原稿読取部で生成された前記複数枚の原稿の画像データを、請求項１〜４のいずれか一項に記載の画像データ記憶装置に送信する画像データ送信部と、
前記サイズ検知部で生成された前記複数枚の原稿のサイズデータを、前記画像データ記憶装置に送信するサイズデータ送信部と、を備える原稿読取装置。
【請求項６】
請求項１〜４のいずれか一項に記載の画像データ記憶装置と、
請求項５に記載の原稿読取装置と、
画像データにより画像を形成し、形成された画像を用紙に印刷する装置本体と、
前記原稿読取装置と前記装置本体を制御して、前記原稿読取装置で読み取られた原稿の画像データにより画像を形成して用紙に印刷させるコピーモード及び、前記原稿読取装置と前記画像データ記憶装置を制御して、前記原稿読取装置で読み取られた同じサイズの複数枚の原稿の画像データを、前記画像データ記憶装置に記憶させるスキャナーモードを実行するモード制御部と、を備える画像形成装置。
【発明の詳細な説明】
【技術分野】
【０００１】
本発明は、自動原稿送り装置により複数枚の原稿が原稿読取装置へ搬送され、原稿読取装置により読み取られた複数枚の原稿の画像データを記憶する画像データ記憶装置、並びにこれと関連する原稿読取装置及び画像形成装置に関する。
【背景技術】
【０００２】
原稿読取装置であるスキャナーにより原稿を読み取って、その原稿の画像データを記憶装置に記憶することにより、原稿を電子化して保存することができる。自動原稿送り装置(ＡＤＦ: Auto Document Feeder)は、複数枚の原稿を一枚ずつ連続してスキャナーの原稿読取箇所に自動的に送る装置である。読み取る原稿の枚数が多い場合、自動原稿送り装置を利用すれば便利である。
【０００３】
しかし、自動原稿送り装置では、周囲の湿度の影響等が原因で自動原稿送り装置にセットされた複数枚の原稿が一枚ずつ分離されず、二枚以上重ねて、スキャナーの原稿読取箇所に送られることがある(重送)。
【０００４】
重送に対処できる第１の技術として、ファクミリ送信において、読み取る原稿の枚数(言い換えれば、送信する原稿の枚数)をユーザーに入力させ、実際に読み取った原稿の枚数と入力された枚数が異なる場合、重送が発生したと判定して、ユーザーに報知するファクミリ装置が提案されている(例えば、特許文献１参照)。
【０００５】
重送に対処できる第２の技術として、原稿を読み取る毎に、読み取られた原稿の画像を表示させることにより、読み取られた原稿の画像をユーザーが確認できるデジタル複写装置が提案されている(例えば、特許文献２参照)。
【先行技術文献】
【特許文献】
【０００６】
【特許文献１】特開平６−３０３３７５号公報
【特許文献２】特開２００４−７０４７号公報
【発明の概要】
【発明が解決しようとする課題】
【０００７】
しかし、上記第１の技術では、読み取る原稿の枚数をユーザーが入力しなければならない。このため、ユーザーは原稿の枚数が予め分かっていなければ、原稿の枚数を数えなければならず、原稿の枚数が多い場合、手間がかかる。
【０００８】
第２の技術では、読み取られた原稿の画像をユーザーが確認して、重送が発生したか否かを判断しなければならないので、原稿の枚数が多い場合、手間がかかる。
【０００９】
本発明は、原稿の読み取り枚数が多くても、ユーザーに手間をかけることなく、重送の発生を報知できる画像データ記憶装置、並びにこれと関連する原稿読取装置及び画像形成装置を提供することを目的とする。  
【課題を解決するための手段】
【００１０】
上記目的を達成する本発明の一の局面に係る画像データ記憶装置は、同じサイズの複数枚の原稿がセットされた自動原稿送り装置により、前記複数枚の原稿が原稿読取装置へ搬送され、前記原稿読取装置により読み取られた前記複数枚の原稿の画像データを受信する画像データ受信部と、前記画像データ受信部により受信された前記複数枚の原稿の画像データを記憶する画像データ記憶部と、前記複数枚の原稿が前記原稿読取装置へ搬送中に検知された、それぞれの原稿のサイズを示すサイズデータを受信するサイズデータ受信部と、前記サイズデータ受信部により受信された前記複数枚の原稿のサイズデータの中から比較に用いる原稿のサイズデータが予め設定されており、前記原稿読取装置へ搬送中に検知された前記複数枚の原稿のそれぞれのサイズについて、前記比較に用いる原稿とサイズが同じかを判定するサイズ判定部と、前記サイズ判定部により前記比較に用いる原稿とサイズが同じと判定されない場合、報知する報知部と、を備える。
【００１１】
自動原稿送り装置で重送が発生して二枚以上の原稿が重なった状態で搬送されて、原稿読取装置によりそれらの原稿が読み取られると、原稿読取装置は一枚の原稿として読み取り、画像データを生成する。同じサイズの複数枚の原稿がセットされた自動原稿送り装置により、複数枚の原稿が原稿読取装置へ搬送中に検知されたそれぞれの原稿のサイズについて、他の原稿とサイズが異なる原稿が存在した場合、その原稿は二枚以上の原稿が一部重なった状態で搬送(重送)されていると考えられる。以下に説明するように、本発明の一の局面に係る画像データ記憶装置は、これを利用して重送の発生を判定して報知する。
【００１２】
本発明の一の局面に係る画像データ記憶装置は、同じサイズの複数枚の原稿がセットされた自動原稿送り装置により、複数枚の原稿が原稿読取装置へ搬送中に検知された、それぞれの原稿のサイズを示すサイズデータを受信する。そして、このサイズデータを用いて、原稿読取装置へ搬送中に検知された複数枚の原稿のそれぞれのサイズについて、比較に用いる原稿とサイズが同じかを判定し、サイズが同じと判定されない場合に報知する。比較となる原稿とサイズが同じでない原稿があれば、いずれかの原稿が重送されたことになる。本発明の一の局面によれば、比較に用いる原稿とサイズが同じと判定されない場合に報知することにより、ユーザーに重送の発生を知らせることができる。
【００１３】
また、本発明の一の局面によれば、上述したサイズデータを用いて、重送の発生を判定する。このため、ユーザーは原稿読取装置により読み取られる複数枚の原稿の枚数を入力する必要がない。
【００１４】
さらに、本発明の一の局面によれば、画像データ記憶装置により重送の発生を判定して報知するので、原稿読取装置が重送の発生を検知できなくても、ユーザーに重送の発生を報知することができる。
【００１５】
以上により、本発明の一の局面に係る画像データ記憶装置によれば、原稿の読み取り枚数が多くても、ユーザーに手間をかけることなく、重送の発生を報知できる。
【００１６】
なお、報知部による報知として、重送の発生を表示したり、それに加えて、比較に用いる原稿とサイズが同じと判定されない原稿(すなわち、重送の疑いのある原稿)の画像をプレビュー画像で表示したり、又はその原稿のサイズを表示したりしてもよい。
【００１７】
比較に用いる原稿のサイズデータとして、(１)原稿読取装置により読み取られた複数枚の原稿のそれぞれについて、原稿が読み取られた順番より一つ前の順番で読み取られた原稿のサイズデータ、(２)原稿読取装置により読み取られた複数枚の原稿のそれぞれについて、原稿が読み取られた順番より一つ後の順番で読み取られた原稿のサイズデータ、(３)原稿読取装置により読み取られた複数枚の原稿のそれぞれについて、原稿が読み取られた順番より一つ前の順番と一つ後の順番で読み取られた原稿のサイズデータが、例示される。  
【００１８】
(１)は、例えば、３番目に読み取られた原稿のサイズデータについて、比較となる原稿のサイズデータは２番目に読み取られた原稿のサイズデータである。(２)は、例えば、３番目に読み取られた原稿のサイズデータについて、比較となる原稿のサイズデータは４番目に読み取られた原稿のサイズデータである。(３)は、例えば、３番目に読み取られた原稿のサイズデータについて、比較となる原稿のサイズデータは２番目と４番目に読み取られた原稿のサイズデータである。
【００１９】
上記構成において、前記サイズ判定部では、前記原稿読取装置により読み取られた前記複数枚の原稿のそれぞれについて、原稿が読み取られた順番より一つ前の順番と一つ後の順番で読み取られた原稿のサイズデータを、前記比較に用いる原稿のサイズデータとして設定されている。  
【００２０】
この構成によれば、二回続けて重送されても、重送の発生を判定して報知することができる。例えば、３枚目と４枚目の原稿が一部重なった状態(３番目に読み取られた原稿)、５枚目と６枚目の原稿が一部重なった状態(４番目に読み取られた原稿)で、それぞれ、原稿読取装置へ搬送されても、７枚目の原稿(５番目に読み取られた原稿)が重送されていなければ、重送の発生を判定できる。
【００２１】
上記構成において、前記報知部は、表示部と、前記サイズ判定部により前記比較に用いる原稿とサイズが同じと判定されない原稿の画像データを、前記画像データ記憶部から読み出す読出制御部と、前記読出制御部により読み出された画像データを用いてプレビュー画像を生成する画像生成部と、前記画像生成部により生成された前記プレビュー画像を、前記表示部に表示させる表示制御部と、を備える。
【００２２】
この構成によれば、比較に用いる原稿とサイズが同じと判定されない原稿(重送の疑いのある原稿)のプレビュー画像を表示部に表示させるので、その原稿が重送されたか否かを目視で確認することができる。
【００２３】
上記構成において、前記サイズ判定部により前記比較に用いる原稿とサイズが同じと判定されない原稿の前記プレビュー画像が、前記表示部に表示された場合、当該原稿の画像データを、前記画像データ記憶部から消去する指示を受け付ける受付部と、前記受付部で消去する指示が受け付けられると、当該原稿の画像データを前記画像データ記憶部から消去する消去制御部と、を備える。
【００２４】
この構成によれば、表示部に表示された、重送の疑いのある原稿のプレビュー画像を確認して、その原稿が重送されたと分れば、消去する指示をすることにより、その原稿の画像データを画像データ記憶部から消去することができる。よって、ユーザーが画像データ記憶部に記憶されている画像データにアクセスする操作をして、画像データ記憶部に記憶されている画像データの中から、消去する画像データを選択して消去する操作をしなくても、重送された原稿の画像データを消去することができる。
【００２５】
本発明の他の局面に係る原稿読取装置は、自動原稿送り装置と、同じサイズの複数枚の原稿がセットされた前記自動原稿送り装置により搬送されてきた前記複数枚の原稿を読み取り、前記複数枚の原稿の画像データを生成する原稿読取部と、前記複数枚の原稿のそれぞれが前記原稿読取部へ搬送中に、各原稿のサイズを検知し、検知したサイズを示すサイズデータを生成するサイズ検知部と、前記原稿読取部で生成された前記複数枚の原稿の画像データを、上述した画像データ記憶装置に送信する画像データ送信部と、前記サイズ検知部で生成された前記複数枚の原稿のサイズデータを、前記画像データ記憶装置に送信するサイズデータ送信部と、を備える。
【００２６】
本発明の他の局面に係る原稿読取装置によれば、これらの構成を有することにより、本発明の一の局面に係る画像データ記憶装置に上述した作用効果を生じさせることができる。
【００２７】
本発明のさらに他の局面に係る画像形成装置は、上述した画像データ記憶装置と、上述した原稿読取装置と、画像データにより画像を形成し、形成された画像を用紙に印刷する装置本体と、前記原稿読取装置と前記装置本体を制御して、前記原稿読取装置で読み取られた原稿の画像データにより画像を形成して用紙に印刷させるコピーモード及び、前記原稿読取装置と前記画像データ記憶装置を制御して、前記原稿読取装置で読み取られた同じサイズの複数枚の原稿の画像データを、前記画像データ記憶装置に記憶させるスキャナーモードを実行するモード制御部と、を備える。
【００２８】
本発明のさらに他の局面に係る画像形成装置によれば、本発明の一局面に係る画像データ記憶装置と本発明の他の局面に係る原稿読取装置とを備えているので、上述した本発明の一の局面に係る画像データ記憶装置と同様の作用効果が生じる。
本発明の別の局面に係る画像データ記憶装置は、同じサイズの複数枚の原稿がセットされた自動原稿送り装置により、前記複数枚の原稿が原稿読取装置へ搬送され、前記原稿読取装置により読み取られた前記複数枚の原稿の画像データを受信する画像データ受信部と、前記画像データ受信部により受信された前記複数枚の原稿の画像データを記憶する画像データ記憶部と、前記複数枚の原稿が前記原稿読取装置へ搬送中に検知された、それぞれの原稿のサイズを示すサイズデータを受信するサイズデータ受信部と、前記サイズデータ受信部により受信された前記複数枚の原稿のそれぞれのサイズデータを記憶するサイズデータ記憶部と、前記サイズデータ受信部により受信された前記複数枚の原稿のサイズデータの中から比較に用いる原稿のサイズデータが予め設定されており、前記原稿読取装置へ搬送中に検知された前記複数枚の原稿のそれぞれのサイズについて、前記比較に用いる原稿とサイズが同じかの判定を、前記複数枚の原稿の画像データが前記画像データ記憶部に記憶され、かつ、前記複数枚の原稿のそれぞれのサイズデータが前記サイズデータ記憶部に記憶された後に、実行するサイズ判定部と、前記サイズ判定部により前記比較に用いる原稿とサイズが同じと判定されない場合、報知する報知部と、を備える。
【発明の効果】
【００２９】
本発明によれば、原稿の読み取り枚数が多くても、ユーザーに手間をかけることなく、重送の発生を報知できる。
【図面の簡単な説明】
【００３０】
【図１】本発明の一実施形態に係る画像形成装置の内部構造の概略を示す図である。
【図２】本実施形態に係る画像形成装置の構成を示すブロック図である。
【図３】本実施形態に係る画像データ記憶装置の構成を示すブロック図である。
【図４】本実施形態において、画像形成装置の原稿読取部により読み取られた複数枚の原稿の画像データを、画像データ記憶装置に記憶させる処理を説明するフローチャートの前半である。
【図５】本実施形態において、画像形成装置の原稿読取部により読み取られた複数枚の原稿の画像データを、画像データ記憶装置に記憶させる処理を説明するフローチャートの後半である。
【図６】６枚の原稿が原稿読取部へ搬送されている状態の一例を示す図である。
【図７】画像形成装置から画像データ記憶装置に送信されている画像データとサイズデータの一例を示す図である。
【図８】サイズデータ記憶部に記憶されているサイズデータの一例を示す図である。
【図９】重送の発生を報知する画面の一例を示す図である。
【発明を実施するための形態】
【００３１】
以下、図面に基づいて本発明の実施形態を詳細に説明する。図１は本発明の一実施形態に係る画像形成装置１の内部構造の概略を示す図である。画像形成装置１は例えば、コピー、プリンター、スキャナー及びファクシミリの機能を有するデジタル複合機に適用することができる。画像形成装置１は装置本体１００、装置本体１００の上に配置された原稿読取部２００、原稿読取部２００の上に配置された原稿給送部３００、及び装置本体１００の上部前面に配置された操作部４００を備える。
【００３２】
原稿給紙部３００は自動原稿送り装置として機能し、原稿を送る方向の上流側から順に配置された原稿トレイ３０５、ピックアップローラー３０７、用紙分離機構３０９、レジストローラー３１１、搬送ドラム３１３、排紙ローラー３１５及び排紙トレイ３１７等を備える。原稿トレイ３０５には読み取りの対象とされる原稿が載置される。
【００３３】
ピックアップローラー３０７は原稿トレイ３０５の上方に昇降可能に配置されている。ピックアップローラー３０７の近傍には用紙分離機構３０９が設けられている。用紙分離機構３０９は駆動ローラー３０９ａ、従動ローラー３０９ｂ、無端ベルト３０９ｃ及び分離ローラー３０９ｄを備える。駆動ローラー３０９ａは従動ローラー３０９ｂよりも下流側に位置している。駆動ローラー３０９ａと従動ローラー３０９ｂには無端ベルト３０９ｃが掛け渡されており、これらのローラーは給紙ローラーとして機能する。駆動ローラー３０９ａと従動ローラー３０９ｂの下方には無端ベルト３０９ｃを押圧するように分離ローラー３０９ｄが配置されている。
【００３４】
ピックアップローラー３０７及び駆動ローラー３０９ａは、原稿トレイ３０５に載置された原稿を原稿トレイ３０５から送り出す方向に回転する。これに対して、分離ローラー３０９ｄは原稿トレイ３０５に載置された原稿を原稿トレイ３０５へ戻す方向に回転する。これらによって、ピックアップローラー３０７により一枚ずつ取り込まれた原稿が複数枚重ねて搬送されるのを防止している。
【００３５】
用紙分離機構３０９の近傍にはレジストローラー３１１が配置されている。レジストローラー３１１は原稿を挟むように配置された駆動ローラー３１１ａと従動ローラー３１１ｂから構成される。用紙分離機構３０９から搬送されてきた原稿は、レジストローラー３１１により正しい角度に補正されて、搬送ドラム３１３へ送られる。原稿は搬送ドラム３１３によって原稿読取スリット２３３の上を通過させられた後、排紙ローラー３１５によって排紙トレイ３１７へ排出される。原稿読取スリット２３３は後で説明する原稿読取部２００に備えられる。
【００３６】
原稿給紙部３００はさらに、切換ガイド３１９、反転ローラー３２１及び反転搬送路３２３により構成される原稿反転機構を備える。原稿反転機構は原稿の両面を自動で読み取る際に使用される。両面読み取り時、切換ガイド３１９は下側に切り換えられおり、原稿読取部２００で表面が読み取られた原稿は、排紙ローラー３１５及び反転ローラー３２１によって反転搬送路３２３へ搬送される。その後、切換ガイド３１９が上側に切り換えられ、反転ローラー３２１が逆回転することにより、原稿が搬送ドラム３１３へ再び送られる。そして原稿読取部２００で原稿の裏面が読み取られ、原稿は排紙ローラー３１５によって排紙トレイ３１７に排紙される。
【００３７】
原稿読取部２００は原稿の画像を光学的に読み取って画像データを生成する。原稿読取部２００はプラテンガラス２３１、原稿読取スリット２３３、光源２３５、第１ミラー２３７、第２ミラー２３９、第３ミラー２４１、第１キャリッジ２４３、第２キャリッジ２４５、結像レンズ２４７及びＣＣＤ(Charge Coupled Device)２４９を備える。
【００３８】
プラテンガラス２３１及び原稿読取スリット２３３は、原稿読取部２００の上面に位置している。プラテンガラス２３１はフラットベッド読取モードで利用され、プラテンガラス２３１の上に原稿を載置し、原稿が読み取られる。原稿読取スリット２３３は搬送ドラム３１３の下方に位置している。原稿読取スリット２３３はＡＤＦ読取モードで利用され、搬送ドラム３１３によって搬送された原稿は、原稿読取スリット２３３と搬送ドラム３１３の間を通過する際に読み取られる。
【００３９】
光源２３５及び第１ミラー２３７は第１キャリッジ２４３によって保持されている。第２ミラー２３９及び第３ミラー２４１は第２キャリッジ２４５によって保持されている。光源２３５から照射されて原稿で反射された光は、第１ミラー２３７、第２ミラー２３９、第３ミラー２４１及び結像レンズ２４７により、ＣＣＤ２４９に導かれる。
【００４０】
フラットベッド読取モードではプラテンガラス２３１上に原稿を載置し、キャリッジ(第１キャリッジ２４３及び第２キャリッジ２４５)をプラテンガラス２３１の長手方向(副走査方向Ｙ)に移動させながらＣＣＤ２４９により原稿を読み取る。これに対してＡＤＦ読取モードでは、キャリッジ(第１キャリッジ２４３及び第２キャリッジ２４５)を原稿読取スリット２３３と対向する位置に移動させて、原稿給紙部３００から送られてきた原稿を、原稿読取スリット２３３を通してＣＣＤ２４９により読み取る。これによりＣＣＤ２４９から出力された電気信号を、原稿読取部２００に設けられた画像エンジン(不図示)により所定の処理をして画像データとして出力する。
【００４１】
装置本体１００は用紙貯留部１０１、画像形成部１０３及び定着部１０５を備える。用紙貯留部１０１は装置本体１００の最下部に配置されており、用紙の束を貯留することができる複数の給紙カセット１０７を備える。給紙カセット１０７に貯留された用紙の束において、最上位の用紙がピックアップローラー１０９の駆動により、用紙搬送路１１１へ向けて送出される。用紙は用紙搬送路１１１を通って、画像形成部１０３へ搬送される。
【００４２】
画像形成部１０３は搬送されてきた用紙に画像データを基にしてトナー画像を形成する。画像形成部１０３は感光体ドラム１１３、除電部１１５、帯電部１１７、露光部１１９、現像部１２１Ｂｋ，１２１Ｙ，１２１Ｍ，１２１Ｃ、転写ドラム１２３及び転写ローラー１２５を備える。
【００４３】
除電部１１５は感光体ドラム１１３の周面から残留電荷を除去する装置である。帯電部１１７は除電後の感光体ドラム１１３の周面を帯電させる装置である。露光部１１９は画像データ(原稿読取部２００のＣＣＤ２４９から出力された画像データ、パソコンから送信された画像データ、ファクシミリ受信の画像データ等)に対応して変調された光を生成し、一様に帯電された感光体ドラム１１３の周面に照射することにより、感光体ドラム１１３の周面に静電潜像を形成する装置である。
【００４４】
現像部１２１Ｂｋ，１２１Ｙ，１２１Ｍ，１２１Ｃは、静電潜像が形成されている感光体ドラム１１３の周面に、ブラック(Ｂｋ)、イエロー(Ｙ)、マゼンタ(Ｍ)、シアン(Ｃ)の各色のトナー画像を形成させる装置である。各色の現像部を区別する必要がなければ、現像部１２１と記載する。ブラック、イエロー、マゼンタ及びシアンの各色に対するトナーは、図略のトナー供給容器又はトナーカートリッジから供給される。
【００４５】
転写ドラム１２３の周面で、感光体ドラム１１３に形成された各色のトナー画像が転写されて重ね合わされる。転写ローラー１２５は転写ドラム１２３の周面のトナー画像を、用紙貯留部１０１から搬送されてきた用紙に転写させるローラーである。
【００４６】
トナー画像が転写された用紙は、定着部１０５に送られる。定着部１０５において、トナー画像と用紙に熱と圧力が加えられて、トナー画像を用紙に定着させる。これにより、用紙への画像の印刷が完了する。用紙はスタックトレイ１２７又は排紙トレイ１２９に排紙される。
【００４７】
操作部４００は操作キー部４０１と表示部４０３を備える。表示部４０３はタッチパネル機能を有しており、ソフトキーを含む画面が表示される。ユーザーは画面を見ながらソフトキーを操作することによって、コピー等の機能の実行に必要な設定等をする。
【００４８】
操作キー部４０１はハードキーからなる操作キーを備えており、具体的にはスタートキー４０７、テンキー４０９及び機能切換キー４０５等を備える。スタートキー４０７はコピー、ファクシミリ送信等の動作を開始させるキーである。テンキー４０９はコピー部数、ファクシミリ番号等の数字を入力するキーである。
【００４９】
機能切換キー４０５はコピーキー、送信キー、及びスキャナーキー等を備えており、コピー機能、送信機能、スキャナー機能等を相互に切り換えるキーである。コピーキーを操作すれば、コピーの初期画面が表示部４０３に表示される。送信キーを操作すれば、ファクシミリ送信及びメール送信の初期画面が表示部４０３に表示される。スキャナーキーを操作すれば、スキャナーの初期画面が表示部４０３に表示される。
【００５０】
図２は図１に示す画像形成装置１の構成を示すブロック図である。画像形成装置１は装置本体１００、原稿読取部２００、原稿給送部３００、操作部４００、制御部５００及び通信部６００がバスによって相互に接続された構成を有する。
【００５１】
制御部５００はＣＰＵ(Central Processing Unit)、ＲＯＭ(Read Only Memory)、及びＲＡＭ(Random Access Memory)等を備える。ＣＰＵは画像形成装置１を動作させるために必要な制御を、装置本体１００等の画像形成装置１の上記構成要素に対して実行する。ＲＯＭは画像形成装置１の動作の制御に必要なソフトウェアを記憶している。ＲＡＭはソフトウェアの実行時に発生するデータの一時的な記憶及びアプリケーションソフトの記憶等に利用される。
【００５２】
制御部５００はモード制御部５０１及びサイズ検知部５０３の機能を有する。これらの機能は制御部５００に備えられる上記ＣＰＵ、ＲＯＭ及びＲＡＭ等により実現される。
【００５３】
モード制御部５０１はコピーモード及びスキャナーモードを実行する。コピーモードにおいて、モード制御部５０１は原稿読取部２００と装置本体１００を制御し(原稿給送部３００を使用する場合はさらに原稿給送部３００を制御し)、原稿読取部２００で読み取られた原稿の画像データにより画像を形成して用紙に印刷させる。スキャナーモードにおいて、モード制御部５０１は原稿読取部２００を制御し(原稿給送部３００を使用する場合はさらに原稿給送部３００を制御し)、原稿読取部２００で読み取られた原稿の画像データを画像データ記憶装置１０へ送信して、画像データ記憶装置１０に記憶させる。
【００５４】
サイズ検知部５０３は、原稿トレイ３０５にセットされた同じサイズの複数枚の原稿が、図１に示す原稿読取スリット２３３に向けて、原稿給送部３００内を搬送中に、各原稿の搬送方向のサイズを検知し、検知したサイズを示すサイズデータを生成する。サイズ検知部５０３はセンサー５１、タイマー５３、サイズテーブル５５及びサイズデータ生成部５７を備える。
【００５５】
センサー５１は例えば、光学センサーであり、図１に示すように、レジストローラー３１１付近の搬送路の上に設置されている。タイマー５３は、搬送されている原稿の先端をセンサー５１が検知してから、その原稿の後端を検知するまでの時間(検知時間)を測定する。
【００５６】
サイズテーブル５５には、検知時間と原稿の搬送方向のサイズとが対応づけて記憶されている。例えば、検知時間がＴ１の場合は原稿の搬送方向のサイズがＬ１、検知時間がＴ２の場合は原稿の搬送方向のサイズがＬ２、検知時間がＴ３の場合は原稿の搬送方向のサイズがＬ３、・・・である。
【００５７】
サイズデータ生成部５７はサイズテーブル５５を参照して、タイマー５３により測定された検知時間と対応するサイズを選択する。サイズデータ生成部５７はその選択したサイズを示すサイズデータを生成する。
【００５８】
通信部６００は電話回線６０１を用いてファクシミリ通信する部分とＬＡＮ６０３を用いてネットワーク通信する部分とにより構成される。通信部６００は画像データ送信部６０５とサイズデータ送信部６０７を備える。これらの機能は、主に、ネットワーク通信する部分(ネットワークＩ／Ｆ部)により実現される。
【００５９】
画像データ送信部６０５は原稿読取部２００で生成された複数枚の原稿の画像データを、ＬＡＮ６０３を用いて画像データ記憶装置１０に送信する。サイズデータ送信部６０７はサイズ検知部５０３で生成された複数枚の原稿のサイズデータを、ＬＡＮ６０３を用いて画像データ記憶装置１０に送信する。
【００６０】
装置本体１００、原稿読取部２００、原稿給送部３００及び操作部４００に関しては既に説明したので、説明を省略する。
【００６１】
次に、画像データ記憶装置１０について説明する。図３は本実施形態に係る画像データ記憶装置１０の構成を示すブロック図である。画像データ記憶装置１０は制御部２０、通信部３０及び操作部４０がバスによって相互に接続された構成を有する。画像データ記憶装置１０は画像データを記憶するサーバーである。すなわち、画像データ記憶装置１０は、クライアント装置(例えば画像形成装置１)からＬＡＮ６０３を介して送信されてきた画像データを記憶し、クライアント装置からＬＡＮ６０３を介して画像データを読み出すアクセスがあれば、そのクライアント装置に画像データを送信する機能を有する。
【００６２】
通信部３０はＬＡＮ６０３を用いてネットワーク通信をするインターフェイスである。通信部３０は画像データ受信部３１とサイズデータ受信部３３の機能を有する。
【００６３】
画像データ受信部３１は、図１に示す原稿トレイ３０５にセットされた同じサイズの複数枚の原稿が、原稿給送部３００により原稿読取部２００へ搬送され、原稿読取部２００により読み取られた複数枚の原稿の画像データを、複数枚の原稿の読み取り順に受信する。サイズデータ受信部３３は、複数枚の原稿が原稿読取部２００へ搬送中に検知されたそれぞれの原稿のサイズを示すサイズデータを、複数枚の原稿の読み取り順に受信する。
【００６４】
制御部２０は記憶制御部２１、画像データ記憶部２２、サイズデータ記憶部２３、サイズ判定部２４、表示制御部２５、画像生成部２６及び受付部２７の機能を有する。これらの機能は制御部２０に備えられるＣＰＵ、ＲＯＭ及びＲＡＭ等により実現される。
【００６５】
記憶制御部２１は、書込制御部２１ａ、読出制御部２１ｂ及び消去制御部２１ｃを含む。書込制御部２１ａは、画像データ記憶部２２に画像データを書き込む制御をする。読出制御部２１ｂは、画像データ記憶部２２に記憶されている画像データを読み出す制御をする。消去制御部２１ｃは、画像データ記憶部２２に記憶されている画像データを消去する制御をする。また、記憶制御部２１は、サイズデータ記憶部２３にサイズデータを書き込む制御及びサイズデータ記憶部２３に記憶されているサイズデータを読み出す制御をする。
【００６６】
画像データ記憶部２２は、画像データ受信部３１により受信された複数枚の原稿の画像データを記憶する。サイズデータ記憶部２３は、サイズデータ受信部３３により受信された複数枚の原稿のサイズデータを記憶する。
【００６７】
サイズ判定部２４には、サイズデータ受信部３３により受信された複数枚の原稿のサイズデータの中から比較に用いる原稿のサイズデータが予め設定されている。サイズ判定部２４は、原稿読取部２００へ搬送中に検知された複数枚の原稿のそれぞれのサイズについて、比較に用いる原稿とサイズが同じかを判定する。比較に用いる原稿のサイズデータとして、原稿読取部２００により読み取られた複数枚の原稿のそれぞれについて、原稿が読み取られた順番より一つ前の順番と一つ後の順番で読み取られた原稿のサイズデータが、サイズ判定部２４に設定されている。読出制御部２１ｂは、サイズ判定部２４により比較に用いる原稿とサイズが同じと判定されない原稿の画像データを、画像データ記憶部２２から読み出す機能を有する。
【００６８】
画像生成部２６は、読出制御部２１ｂにより読み出された画像データを用いてプレビュー画像を生成する。表示制御部２５は、画像生成部２６により生成されたプレビュー画像を、表示部４３に表示させる。表示部４３、読出制御部２１ｂ、画像生成部２６及び表示制御部２５により、報知部が構成される。報知部は、サイズ判定部２４により比較に用いる原稿とサイズが同じと判定されない場合に報知をする。
【００６９】
操作部４０は操作キー部４１及び表示部４３を備える。表示部４３はタッチパネル機能を有しており、ソフトキーを含む画面が表示される。ユーザーは画面を見ながらソフトキーや操作キー部４１を操作することによって、画像データ記憶部２２に記憶されている画像データの編集、消去等の命令を入力する。
【００７０】
次に、本実施形態に係る画像形成装置１において、原稿給送部３００により複数枚の原稿が原稿読取部２００へ搬送され、原稿読取部２００により読み取られた複数枚の原稿の画像データを、画像データ記憶装置１０に記憶させる処理について説明する。図４及び５はこれを説明するフローチャートである。画像形成装置１と画像データ記憶装置１０との間では、ＬＡＮ６０３を用いてデータが送受信される。
【００７１】
ユーザーは、図１に示す操作部４００の機能切換キー４０５を操作して、スキャナー機能を選択する。スキャナー機能は、原稿読取部２００で読み取られた原稿の画像データが、ＬＡＮ６０３を経由して画像データ記憶装置１０に送られて、画像データ記憶装置１０に記憶させる機能である。
【００７２】
ユーザーは図１に示す原稿トレイ３０５に例えば、Ａ４サイズの６枚の原稿(同じサイズの複数枚の原稿の一例)をセットし、スタートキー４０７を操作する。これにより、原稿給送部３００は、原稿トレイ３０５にセットされた６枚の原稿のうち、一番上の原稿について原稿読取部２００への搬送を開始する(ステップＳ１)。すなわち、ピックアップローラー３０７は、原稿トレイ３０５にセットされた６枚の原稿のうち、一番上の原稿をピックアップして、原稿給送部３００内へ送り出す。
【００７３】
サイズ検知部５０３は、原稿給送部３００内を搬送されている原稿について、その原稿の搬送方向のサイズを検知してサイズデータを生成する(ステップＳ２)。データ形式としては、例えば、ＸＭＬ(Extensible Markup Language)を用いることができる。
【００７４】
原稿読取部２００は原稿給送部３００により搬送されてきた原稿を読み取り、その原稿の画像データを生成する(ステップＳ３)。
【００７５】
画像データ送信部６０５(図２)はステップＳ３で生成された画像データを、画像データ記憶装置１０に送信し(ステップＳ４)、続けて、サイズデータ送信部６０７はステップＳ２で生成されたサイズデータを、画像データ記憶装置１０に送信する(ステップＳ５)。
【００７６】
モード制御部５０１が、原稿トレイ３０５に原稿がセットされていると判断した場合(ステップＳ６でＹｅｓ)、ステップＳ１に戻る。モード制御部５０１が、原稿トレイ３０５に原稿がセットされていると判断しない場合(ステップＳ６でＮｏ)、通信部６００は、全ての原稿の読み取り処理が終了したこと示す終了信号(例えば、All Get Complete信号)を、ＬＡＮ６０３を用いて画像データ記憶装置１０に送信する(ステップＳ７)。
【００７７】
図６は、６枚の原稿Ｄ１〜Ｄ６が原稿読取部２００へ搬送されている状態の一例を示す図である。６枚の原稿Ｄ１〜Ｄ６のそれぞれが、搬送方向Ａ１に搬送されて、原稿読取スリット２３３を通過する際に、ＣＣＤ２４９(図１)によりそれぞれの原稿が読み取られる。
【００７８】
３枚目の原稿Ｄ３と４枚目の原稿Ｄ４の一部が重なる重送が発生している。これにより、原稿Ｄ１が１番目に読み取られ、原稿Ｄ２が２番目に読み取られ、原稿Ｄ３，Ｄ４が一枚の原稿として３番目に読み取られ、原稿Ｄ５が４番目に読み取られ、原稿Ｄ６が５番目に読み取られる。
【００７９】
図７は、画像形成装置１から画像データ記憶装置１０に送信されている画像データとサイズデータの一例を示す図である。画像データＩ１は原稿Ｄ１の画像データであり、サイズデータＳ１は原稿Ｄ１の搬送方向Ａ１のサイズデータである。画像データＩ２は原稿Ｄ２の画像データであり、サイズデータＳ２は原稿Ｄ２の搬送方向Ａ１のサイズデータである。
【００８０】
画像データＩ３は一部が重なった状態の原稿Ｄ３，Ｄ４の画像データであり、サイズデータＳ３は一部が重なった状態の原稿Ｄ３，Ｄ４の搬送方向Ａ１のサイズデータである。画像データＩ４は原稿Ｄ５の画像データであり、サイズデータＳ４は原稿Ｄ５の搬送方向Ａ１のサイズデータである。画像データＩ５は原稿Ｄ６の画像データであり、サイズデータＳ５は原稿Ｄ６の搬送方向Ａ１のサイズデータである。
【００８１】
原稿Ｄ１〜Ｄ６は、Ａ４原稿であり、その長辺を搬送方向Ａ１にしている。従って、サイズデータＳ１，Ｓ２，Ｓ４，Ｓ５で示されるサイズは、Ａ４原稿の長辺のサイズである。原稿Ｄ３と原稿Ｄ４は一部が重なることにより、サイズデータＳ３で示されるサイズは、例えばFolio原稿の長辺のサイズである。Folio原稿とはＡ４原稿と短辺のサイズが同じで、長辺のサイズが大きい原稿である。
【００８２】
画像データＩ１〜Ｉ５及びサイズデータＳ１〜Ｓ５は、画像データ記憶装置１０に送信され、画像データ記憶装置１０で処理される。以下、説明する。
【００８３】
画像データ記憶装置１０は待機状態である(ステップＳ１１)。記憶制御部２１は、画像データ送信部６０５(図２)から送信されてきた画像データを、画像データ受信部３１(図３)が受信したかを判断する(ステップＳ１２)。
【００８４】
記憶制御部２１が、画像データ送信部６０５から送信されてきた画像データを、画像データ受信部３１が受信したと判断しない場合(ステップＳ１２でＮｏ)、ステップＳ１１に戻る。記憶制御部２１が、画像データ送信部６０５から送信されてきた画像データを、画像データ受信部３１が受信したと判断した場合(ステップＳ１２でＹｅｓ)、書込制御部２１ａは、画像データ受信部３１で受信された画像データを画像データ記憶部２２に記憶させる(ステップＳ１３)。
【００８５】
記憶制御部２１は、サイズデータ送信部６０７から送信されてきたサイズデータを、サイズデータ受信部３３が受信したかを判断する(ステップＳ１４)。
【００８６】
記憶制御部２１が、サイズデータ送信部６０７から送信されてきたサイズデータを、サイズデータ受信部３３が受信したと判断しない場合(ステップＳ１４でＮｏ)、ステップＳ１４の処理を繰り返す。記憶制御部２１が、サイズデータ送信部６０７から送信されてきたサイズデータを、サイズデータ受信部３３が受信したと判断した場合(ステップＳ１４でＹｅｓ)、書込制御部２１ａは、サイズデータ受信部３３で受信されたサイズデータをサイズデータ記憶部２３に記憶させる(ステップＳ１５)。
【００８７】
記憶制御部２１は、全ての原稿の読み取り処理が終了したこと示す終了信号を、通信部３０が受信したかを判断する(ステップＳ１６)。記憶制御部２１が、その終了信号を通信部３０が受信したと判断しない場合(ステップＳ１６でＮｏ)、ステップＳ１２に戻る。記憶制御部２１が、その終了信号を通信部３０が受信したと判断した場合(ステップＳ１６でＹｅｓ)、サイズ判定部２４では、原稿給送部３００で重送された疑いのある原稿の判定及びその原稿の画像を表示させる処理を実行する。
【００８８】
サイズ判定部２４では、原稿読取部２００により読み取られた複数枚の原稿のそれぞれについて、原稿が読み取られた順番より一つ前の順番と一つ後の順番で読み取られた原稿のサイズデータを、比較に用いる原稿のサイズデータとして設定されている。サイズデータ記憶部２３には図８に示すように、図７に示すサイズデータＳ１〜Ｓ５が記憶されている。
【００８９】
まず、サイズ判定部２４は、ｎ番目に受信したサイズデータで示されるサイズを、ｎ−１番目に受信したサイズデータで示されるサイズ及びｎ＋１番目に受信したサイズデータで示されるサイズと同じか否かを判定する。言い換えれば、原稿読取部２００でｎ番目に読み取られた原稿のサイズを、原稿読取部２００でｎ−１番目に読み取られた原稿のサイズ及びｎ＋１番目に読み取られた原稿のサイズと同じか否かを判定する。  
【００９０】
サイズ判定部２４は、ｎ番目に受信したサイズデータを１番目に受信したサイズデータに設定する(ステップＳ１７)。サイズ判定部２４は、ステップＳ１７で設定したｎが、１より大きいか判断する(ステップＳ１８)。
【００９１】
サイズ判定部２４が、ｎが１より大きいと判断しない場合(ステップＳ１８でＮｏ)、すなわちｎが１の場合、一つ前の順番で読み取られた原稿が存在しないので、ステップＳ２２に進む。
【００９２】
サイズ判定部２４が、ｎが１より大きいと判断した場合(ステップＳ１８でＹｅｓ)、サイズ判定部２４は、ｎ−１番目に受信したサイズデータをサイズデータ記憶部２３から読み出し、次に、ｎ番目に受信したサイズデータをサイズデータ記憶部２３から読み出す(ステップＳ１９)。
【００９３】
サイズ判定部２４は、ｎ番目に受信したサイズデータで示されるサイズが、ｎ−１番目に受信したサイズデータで示されるサイズと同じか判定する(ステップＳ２０)。
【００９４】
サイズ判定部２４が、ｎ番目に受信したサイズデータで示されるサイズが、ｎ−１番目に受信したサイズデータで示されるサイズと同じと判定した場合(ステップＳ２０でＹｅｓ)、サイズ判定部２４は、ｎ番目に受信したサイズデータが最後に受信したサイズデータか判断する(ステップＳ２１)。サイズ判定部２４は、ｎ番目に受信したサイズデータが最後に受信したサイズデータと判断した場合(ステップＳ２１でＹｅｓ)、一つ後の順番(ｎ＋１番目)に受信したサイズデータが存在しないので、ステップＳ２４へ進む。
【００９５】
サイズ判定部２４は、ｎ番目に受信したサイズデータが最後に受信したサイズデータと判断しない場合(ステップＳ２１でＮｏ)、ｎ番目に受信したサイズデータをサイズデータ記憶部２３から読み出し、次に、ｎ＋１番目に受信したサイズデータをサイズデータ記憶部２３から読み出す(ステップＳ２２)。サイズ判定部２４は、ｎ番目に受信したサイズデータで示されるサイズが、ｎ＋１番目に受信したサイズデータで示されるサイズと同じか判定する(ステップＳ２３)。
【００９６】
サイズ判定部２４が、ｎ番目に受信したサイズデータで示されるサイズが、ｎ＋１番目に受信したサイズデータで示されるサイズと同じと判定した場合(ステップＳ２３でＹｅｓ)、原稿読取部２００でｎ番目に読み取られた原稿は重送でないと判定する(ステップＳ２４)。
【００９７】
一方、サイズ判定部２４が、ｎ番目に受信したサイズデータで示されるサイズが、ｎ−１番目に受信したサイズデータで示されるサイズと同じと判定しない場合(ステップＳ２０でＮｏ)、又は、ｎ＋１番目に受信したサイズデータで示されるサイズと同じと判定しない場合(ステップＳ２３でＮｏ)、原稿読取部２００でｎ番目に読み取られた原稿は重送の疑いがあると判定する(ステップＳ２５)。
【００９８】
ｎ番目に読み取られた原稿が重送の疑いとしたのは、ｎ−１番目に読み取られた原稿が重送され、かつｎ番目に読み取られた原稿が重送されていない場合も、ステップＳ２０でＮｏと判定されるからである。同様に、ｎ＋１番目に読み取られた原稿が重送され、かつｎ番目に読み取られた原稿が重送されていない場合も、ステップＳ２３でＮｏと判定されるからである。
【００９９】
図３に示す読出制御部２１ｂは、図３に示す画像データ記憶部２２に記憶されているｎ番目に受信した画像データを読み出して、画像生成部２６はその画像データを用いて、プレビュー画像を生成する(ステップＳ２６)。表示制御部２５は例えば、図９に示すように、プレビュー画像６３並びに、ソフトキーである消去キー６５及び登録キー６７を含む画面６１を表示部４３に表示させる(ステップＳ２７)。
【０１００】
ユーザーはプレビュー画像６３を見て、二つ以上の原稿か重なった画像と判断し(すなわち重送が発生したと判断し)、その画像データを消去したい場合、消去キー６５を操作する。消去キー６５が操作されると(ステップＳ２８でＹｅｓ)、受付部２７はその操作を受け付けて、消去制御部２１ｃはｎ番目に受信した画像データを画像データ記憶部２２から消去する(ステップＳ２９)。ユーザーは重送された原稿について、図１に示す操作部４００を操作して、原稿読取部２００で再度、読み取らせることにより、その原稿の画像データを画像データ記憶部２２に記憶させることができる。
【０１０１】
これに対して、ユーザーはプレビュー画像６３を見て、１枚の原稿の画像と判断し(すなわち重送が発生していない判断し)、その画像データを画像データ記憶部２２に記憶させたい場合、登録キー６７を操作する(ステップＳ３０)。登録キー６７が操作されると、受付部２７はその操作を受け付けて、消去制御部２１ｃはｎ番目に受信した画像データを画像データ記憶部２２から消去することを実行しない(ステップＳ３１)。
【０１０２】
ステップＳ２４、ステップＳ２９又はステップＳ３１の後、サイズ判定部２４は、ｎ番目に受信したサイズデータの順番が、最後に受信したサイズデータの順番であるか判断する(ステップＳ３２)。サイズ判定部２４が、ｎ番目に受信したサイズデータの順番が、最後に受信したサイズデータの順番であると判断しない場合(ステップＳ３２でＮｏ)、サイズ判定部２４は、ｎ＋１番目をｎ番目に設定し(ステップＳ３３)、ステップＳ１９へ戻る。
【０１０３】
サイズ判定部２４が、ｎ番目に受信したサイズデータの順番が、最後に受信したサイズデータの順番であると判断した場合(ステップＳ３２でＹｅｓ)、画像データ記憶装置１０での処理が終了する。
【０１０４】
本実施形態の主な効果を説明する。
【０１０５】
本実施形態に係る画像データ記憶装置１０は、原稿トレイ３０５にセットされた同じサイズの複数枚の原稿が、原稿給送部３００により、原稿読取部２００へ搬送中に検知されたそれぞれの原稿のサイズを示すサイズデータを受信する(ステップＳ１４)。そして、このサイズデータを用いて、原稿読取部２００へ搬送中に検知された複数枚の原稿のそれぞれのサイズについて、比較に用いる原稿とサイズが同じかを判定し(ステップＳ１７〜ステップＳ２３)、サイズが同じと判定されない場合に報知する(ステップＳ２７)。比較となる原稿とサイズが同じでない原稿があれば、いずれかの原稿が重送されたことになる。本実施形態に係る画像データ記憶装置１０によれば、比較に用いる原稿とサイズが同じと判定されない場合に報知することにより、ユーザーに重送の発生を知らせることができる。
【０１０６】
本実施形態に係る画像データ記憶装置１０によれば、上述したサイズデータを用いて、重送の発生を判定する。このため、ユーザーは原稿読取部２００により読み取られる複数枚の原稿の枚数を入力する必要がない。
【０１０７】
本実施形態に係る画像データ記憶装置１０によれば、画像データ記憶装置１０により重送の発生を判定して報知するので、原稿読取部２００が重送の発生を検知できなくても、ユーザーに重送の発生を報知することができる。
【０１０８】
以上により、本実施形態に係る画像データ記憶装置１０によれば、原稿の読み取り枚数が多くても、ユーザーに手間をかけることなく、重送の発生を報知できる。
【０１０９】
本実施形態に係る画像データ記憶装置１０によれば、原稿読取部２００により読み取られた複数枚の原稿のそれぞれについて、原稿が読み取られた順番より一つ前の順番と一つ後の順番で読み取られた原稿のサイズデータを、比較に用いる原稿のサイズデータとしている(ステップＳ２０，Ｓ２３)。これにより、二回続けて重送されても、重送の発生を判定して報知することができる。例えば、３枚目と４枚目の原稿が一部重なった状態(３番目に読み取られた原稿)、５枚目と６枚目の原稿が一部重なった状態(４番目に読み取られた原稿)で、それぞれ、原稿読取部２００へ搬送されても、７枚目の原稿(５番目に読み取られた原稿)が重送されていなければ、重送の発生を判定できる。
【０１１０】
本実施形態に係る画像データ記憶装置１０によれば、サイズ判定部２４により、比較に用いる原稿とサイズが同じと判定されない原稿(重送の疑いのある原稿)について、その原稿のプレビュー画像６３を表示部４３に表示させる(ステップＳ２７、図９)。これにより、その原稿が重送されたか否かを目視で確認することができる。
【０１１１】
本実施形態に係る画像データ記憶装置１０によれば、図９に示すように、表示部４３において、プレビュー画像６３と共にその画像の基になった画像データ(重送の疑いのある原稿の画像データ)を、画像データ記憶部２２から消去する命令を入力する消去キー６５が表示されている。そして、ステップＳ２９で説明したように、消去キー６５を操作することにより、その画像データを画像データ記憶部２２から消去できるようにしている。よって、ユーザーが画像データ記憶部２２に記憶されている画像データにアクセスする操作をして、画像データ記憶部２２に記憶されている画像データの中から、消去する画像データを選択して消去する操作をしなくても、重送された原稿の画像データを消去することができる。
【０１１２】
本実施形態では画像形成装置１と、この装置とＬＡＮ６０３により接続されている画像データ記憶装置１０とを備えるシステムについて説明した。しかしながら、原稿読取装置と、この装置とＬＡＮ６０３により接続されている画像データ記憶装置１０とを備えるシステムについても、上述した本実施形態の主な効果を有する。
【０１１３】
この場合の原稿読取装置は、図２に示す原稿給送部３００、原稿読取部２００、サイズ検知部５０３、画像データ送信部６０５及びサイズデータ送信部６０７を含む。
【０１１４】
また、画像形成装置１に画像データ記憶装置１０を組み込んだ態様についても、上述した本実施形態の主な効果を有する。この態様では、スキャナーモードにおいて、図２に示すモード制御部５０１は原稿読取部２００と画像データ記憶部２２を制御し(原稿給送部３００を使用する場合はさらに原稿給送部３００を制御し)、原稿読取部２００で読み取られた原稿の画像データを、画像データ記憶装置１０に記憶させる。
【符号の説明】
【０１１５】
１  画像形成装置
２１ｂ  読出制御部(報知部の一例の構成要素)
２５  表示制御部(報知部の一例の構成要素)
２６  画像生成部(報知部の一例の構成要素)
４３  表示部(報知部の一例の構成要素)
３００  原稿給送部(自動原稿送り装置の一例)
【図１】
0005663391.tif 000002
【図２】
0005663391.tif 000003
【図３】
0005663391.tif 000004
【図４】
0005663391.tif 000005
【図５】
0005663391.tif 000006
【図６】
0005663391.tif 000007
【図７】
0005663391.tif 000008
【図８】
0005663391.tif 000009
【図９】
0005663391.tif 000010